【手続補正書】
【提出日】平成16年4月9日(2004.4.9)
【手続補正１】
【補正対象書類名】明細書
【補正対象項目名】全文
【補正方法】変更
【補正の内容】
【発明の名称】遊技機制御基板の照合判定情報及び遊技機情報の暗号化通信システム
【特許請求の範囲】
【請求項１】遊技機を制御するためのプログラムが搭載された遊技機制御用のマイクロコンピュータチップが正規のものか否かを判定する照合判定回路と、照合判定回路の出力情報をチップ固有のキーコードkiに基づきスペクトル拡散変調を行う回路と、前記拡散変調回路の出力信号を外部へ発信するアンテナと、外部から送信された信号を受信するアンテナと、該アンテナで受信した信号をチップ固有のキーコードkiに基づきスペクトル逆拡散変調を行う回路と、前記回路の各処理を行う中央処理装置（ＣＰＵ）とからなる各遊技機に装着される遊技機監視端末と、前記遊技機監視端末の送信アンテナから送信された信号を受信するアンテナと、該アンテナで受信した信号を固有キーコード格納メモリーに格納された各チップの固有キーコードk1〜knから選択する固有キーコード選択回路で選択された固有キーコードkiに基づきスペクトル逆拡散変調を行う回路と、該逆拡散変調回路で復調された情報を格納する判定結果・遊技機情報格納メモリーと、前記選択回路で固有キーコード格納メモリーに格納された固有キーコードk1〜knの中から選択された固有キーコードkiに基づき送信信号をスペクトラム拡散変調を行う回路と、該回路で変調された変調信号を送信するアンテナと、前記回路の各処理・制御を行う遊技機監視ＣＰＵとからなる遊技機監視装置とからなり、前記遊技機監視端末及び遊技機監視装置に組み込まれたスペクトル拡散・逆拡散を行う回路が同一のもので構成されていることを特徴とする遊技機制御基板の照合判定情報の暗号化通信システム。
【請求項２】遊技機を制御するためのプログラムが搭載された遊技機制御用のマイクロコンピュータチップが正規のものか否かを判定する照合判定回路と、前記マイクロコンピュータチップから送信される大当たり情報等の遊技機情報を記憶する遊技機情報入力回路と、照合判定回路及び遊技機情報入力回路の出力情報をチップ固有のキーコードkiに基づきスペクトル拡散変調を行う回路と、前記拡散変調回路の出力信号を外部へ発信するアンテナと、外部から送信された信号を受信するアンテナと、該アンテナで受信した信号をチップ固有のキーコードkiに基づきスペクトル逆拡散変調を行う回路と、前記回路の各処理を行う中央処理装置（ＣＰＵ）とからなる各遊技機に装着される遊技機監視端末と、前記遊技機監視端末の送信アンテナから送信された信号を受信するアンテナと、該アンテナで受信した信号を固有キーコード格納メモリーに格納された各チップの固有キーコードk1〜knから選択する固有キーコード選択回路で選択された固有キーコードkiに基づきスペクトル逆拡散変調を行う回路と、該逆拡散変調回路で復調された情報を格納する判定結果・遊技機情報格納メモリーと、前記選択回路で固有キーコード格納メモリーに格納された固有キーコードk1〜knの中から選択された固有キーコードkiに基づき送信信号をスペクトラム拡散変調を行う回路と、該回路で変調された変調信号を送信するアンテナと、前記回路の各処理・制御を行う遊技機監視ＣＰＵとからなる遊技機監視装置とからなり、前記遊技機監視端末及び遊技機監視装置に組み込まれたスペクトル拡散・逆拡散を行う回路が同一のもので構成されていることを特徴とする遊技機制御基板の照合判定情報及び遊技機情報の暗号化通信システム。
【請求項３】前記スペクトル拡散・逆拡散を行う回路が、チップ固有のキーコードki及び乱数発生回路と、該乱数発生回路から発生する乱数に基づき変調する送信変調回路と、前記乱数発生回路から発生する乱数に基づきに復調する受信復調回路とで構成されていることを特徴とする請求項１又は２記載の遊技機制御基板の照合判定情報及び遊技機情報の暗号化通信システム。
【請求項４】前記格納メモリーがＥＥＰＲＯＭ又はフラッシュメモリーで構成されていることを特徴とする請求項１乃至３のいずれか１項記載の遊技機制御基板の照合判定情報及び遊技機情報の暗号化通信システム。
【請求項５】前記照合判定用通信チップを遊技機制御用のコンピュータマイクロチップに内蔵させたことを特徴とする請求項１から４のいずれか１項記載の遊技機制御基板の照合判定情報及び遊技機情報の暗号化通信システム。
【発明の詳細な説明】
【０００１】
【発明の属する技術分野】
本発明は、パチンコ遊技機、回胴式遊技機等の制御基板に組み込まれた遊技機制御用のマイクロコンピュータチップが正規のものであるか否かを判定すると共に遊技機の制御基板から送信される遊技機の各種情報を取り込む機能を有する遊技機監視端末とホール等の各遊技機の出玉情報等を管理する遊技機監視ＣＰＵとを無線を介して送信するシステムにおいて送信情報を第三者に読み取れないように構成したものである。かつ送信情報が遊技機一台に関する情報が読み取られ解読されたとしても他のものに応用できないように構成することにより実質的に改造が防止できるようにしたものである。
【０００２】
【従来の技術】
従来の遊技機制御基板に組み込まれたマイクロコンピュータチップ（以下チップという）の制御プログラムチェックは、型式試験申請された時点で第三者検査機関が様々な角度からその内容の検討が慎重に行われるが、試験合格後は検査機関による管理を離れ、型式試験合格の認定を受けたプログラムが搭載された遊技機は遊技機メーカーが第三者監督機関に対して検定申請し、この検定に合格した製品が遊技場へ出荷されている。そしてこの合格したチップのプログラムが改変されないように内蔵又は外部ＲＯＭの内容についてセキュリティチェックするように構成されたものが発明されている。さらに外部装置により制御基板に組み込まれたチップが正規のものか照合判定を行い、その結果を外部へ通信できるように構成された照合回路付のものも発明されている。スペクトル拡散を利用した通信システムとしては、スペクトル拡散通信を行う情報通信システムであって、送信側において、ＰＮ符号を用いて任意のデータにスペクトル拡散変調を行う変調手段と、外部からの指令に応じて特定の系列のＰＮ符号を選択して前記変調手段に与える手段とを有し、受信側において受信信号をスペクトル拡散復調する復調手段と、ＰＮ符号を切り替えて前記復調手段に与えて復調可能なＰＮ符号を検出する検出手段とを備え、前記ＰＮ符号によって情報を担うようにしたことを特徴とする情報通信システムが発明されている（特開平８−２５１１３７号）。
【０００３】
【発明が解決しようとする課題】
しかしながら、かかる従来の制御基板では、ＲＯＭだけを改造した場合にはチップ内外の照合回路によりプログラムの不正を検知することができるが、制御基板のチップそのものを取替えられた時には、不正の発見は困難な状況にあった。また照合回路を設け、該照合回路から照合結果を外部に通信するように構成されたものも通信に関するセキュリティが十分とはいえず、照合結果の通信データを改変される可能性もある。従来のスペクトル拡散通信システムでは、コントローラからゲーム機に対して命令信号を送信することを目的としたものであり、多数のゲーム機とホストコンピュータとの相互通信を目的としたものはなく、またホストと特定のゲーム機との識別する手段も開示されていない。そこで本発明は、かかる従来技術の欠点に鑑みなされたもので、遊技機の前記チップとは別個に装着される遊技機監視端末によりチップが正規のものか否かについて照合することができると共に遊技機器の各種端子などから送信される各種情報を記憶しておくことが可能で、記憶した内容を外部の遊技機監視ＣＰＵ等にチップ毎に異なるキーコードに基づいて暗号化を行い、暗号化情報として無線送受信できるように構成されたシステムを提供することを目的とする。また各遊技機との通信において、第三者にかかる秘密情報が読み取られることのないように特殊な暗号化処理を施すようにしたものである。さらに遊技機監視装置に設置される通信機器を一つのもので構成すると共に選択した固有キーコードに基づき、一台の遊技機監視端末のみと相互通信できるように構成したものである。
【０００４】
【課題を解決するための手段】
すなわち請求項１の本発明は、遊技機を制御するためのプログラムが搭載された遊技機制御用のマイクロコンピュータチップが正規のものか否かを判定する照合判定回路と、照合判定回路の出力情報をチップ固有のキーコードkiに基づきスペクトル拡散変調を行う回路と、前記拡散変調回路の出力信号を外部へ発信するアンテナと、外部から送信された信号を受信するアンテナと、該アンテナで受信した信号をチップ固有のキーコードkiに基づきスペクトル逆拡散変調を行う回路と、前記回路の各処理を行う中央処理装置（ＣＰＵ）とからなる各遊技機に装着される遊技機監視端末と、前記遊技機監視端末の送信アンテナから送信された信号を受信するアンテナと、該アンテナで受信した信号を固有キーコード格納メモリーに格納された各チップの固有キーコードk1〜knから選択する固有キーコード選択回路で選択された固有キーコードkiに基づきスペクトル逆拡散変調を行う回路と、該逆拡散変調回路で復調された情報を格納する判定結果・遊技機情報格納メモリーと、前記選択回路で固有キーコード格納メモリーに格納された固有キーコードk1〜knの中から選択された固有キーコードkiに基づき送信信号をスペクトル拡散変調を行う回路と、該回路で変調された変調信号を送信するアンテナと、前記回路の各処理・制御を行う遊技機監視ＣＰＵとからなる遊技機監視装置とからなり、前記遊技機監視端末及び遊技機監視装置に組み込まれたスペクトル拡散・逆拡散を行う回路が同一のもので構成されていることを特徴とする遊技機制御基板の照合判定情報の暗号化通信システムにより本目的を達成する。請求項２の発明は、遊技機監視端末にマイクロコンピュータから送信される大当たり情報等の遊技機情報を記憶する遊技機情報入力回路を設置し、遊技機監視装置に対して、スペクトル拡散して情報を送信するように構成したものである。請求項３の発明は前記スペクトル拡散・逆拡散を行う回路を、チップ固有のキーコードki及び乱数発生回路と、該乱数発生回路から発生する乱数に基づき変調する送信変調回路と、前記乱数発生回路から発生する乱数に基づきに復調する受信復調回路とで構成したものである。
【０００５】
【作用】
本発明にかかる装置では、遊技機監視装置が、特定の遊技機を監視したい時に各遊技機に設定された固有キーコードkiを固有キーコード格納メモリーに格納された固有キーコードk1〜knの中から遊技機監視ＣＰＵの指示に基づき固有キーコード選択回路が選択し、該選択した固有キーコードkiに基づきスペクトル拡散変調回路で遊技機監視ＣＰＵから送信される送信信号を変調し、変調信号として送信アンテナから発信する。
【０００６】
各遊技機監視端末では、常時受信アンテナを介して信号を受信しており、各遊技機監視端末では、受信された変調信号をチップ固有のキーコードkiに基づきスペクトル逆拡散変調回路にて信号の同期を行う。変調信号が固有キーコードki基づき変調されている結果唯一復調（同期）できるのは、同一の固有キーコードkiを持った遊技機監視端末であり、他の遊技機監視端末では同期（復調）ができない。その結果遊技機監視装置のＣＰＵからの命令信号が遊技機監視端末のＣＰＵに送信され、該送信された命令に基づき照合判定回路で遊技機制御用チップの照合を行った結果又は遊技機制御用チップから送信されたその他の情報が格納された遊技機情報入力回路からスペクトル拡散回路に送信される。
【０００７】
スペクトル拡散変調回路では、固有キーコードkiに基づき遊技機情報入力回路等からの情報はスペクトル拡散(変調)されて、送信アンテナから外部に向けて送信される。遊技機監視端末から送信された信号は、前述同様に他の遊技機監視端末及び遊技機監視装置の受信アンテナで受信されるが、固有キーコードが一致するのが遊技機監視装置だけであるので、該遊技機監視装置のスペクトル逆拡散変調回路が同期（復調）を行い、復調された遊技機に関する情報は遊技機監視ＣＰＵの命令に従い判定結果・遊技機情報格納メモリーに格納される。格納後は、遊技機監視装置は他の遊技機監視端末との通信を行うために、固有キーコード格納メモリーに格納されたキーコードの中から一つの固有キーコードを選択回路に選択させることにより、次の遊技機の情報を入手する。
【０００８】
以上の作業により遊技機監視装置は、固有キーコード格納メモリーに格納された遊技機監視端末と共通の固有キーコードを選択することに、任意に所望の遊技機監視端末との相互通信を行うことができ、無線機を複数搭載せずに済む。尚、送信データにスペクトル拡散変調を行う手段として、乱数発生回路を用いたが、これら拡散を行うための乱数発生回路としては、Ｍ系列乱数発生回路を利用するのが好ましい。
【０００９】
【発明の実施の形態】
以下に本発明を図示された実施例に従って詳細に説明する。図１及び図２において１は、遊技機制御基板に搭載された制御プログラムが格納されたマイクロコンピュータチップ（以下チップという）であり、該チップ１の出力端子は遊技機監視端末２と接続されている。この遊技機監視端末２は、接続されたチップ１が正規のものか否かを照合すると共に該判定結果を記憶するための照合判定回路３と、遊技機から送信される大当たり情報、中当たり情報等の各種情報を遊技機情報として記憶するための遊技機情報入力回路４と、前記照合判定回路３及び遊技機情報入力回路４の出力端子と接続され、該回路３又は回路４から送信される情報データをスペクトル拡散（送信変調）するための送信変調回路５と、該回路５に対して拡散するための乱数を発生するＭ系列発生回路６と、該回路６に対して乱数発生のためのチップ固有のキーコードkiを出力する固有キーコード格納メモリー７と、該送信変調回路６で変調された信号を外部へ送信するための送信アンテナ８と、外部から送信された信号を受信するための受信アンテナ９と、該アンテナ９で受信した信号を前述固有キーコード格納メモリー７に格納された固有キーコード及びＭ系列乱数発生回路６に基づきスペクトル逆拡散（復調）する受信復調回路１０と、各回路３，４，５，１０の処理を指示するＣＰＵ１２とで構成されている。
【００１０】
１４はホストコンピュータ等の遊技機監視装置であり、該遊技機監視装置１４は、前記遊技機監視端末２と同一のＭ系列乱数発生回路１５と、該乱数発生回路１５に対して各遊技機監視端末２の固有キーコードk1〜knが格納された固有キーコード格納メモリー１６と、該固有キーコード格納メモリー１６から所望のキーコードを選択し乱数発生回路１５に送信する固有キーコード選択回路１７と、前記乱数発生回路１５から発信される乱数に基づき信号をスペクトル拡散する送信変調回路１８と、該送信変調回路１８で拡散された信号を外部へ向けて送信する送信アンテナ１９と、外部から送信された信号を受信するための受信アンテナ２０と、受信した信号を前記乱数発生回路１５から発信される乱数に基づき同期（復調）する受信復調回路２１と、前記受信復調回路２１で受信した信号を格納するための判定結果・遊技機情報格納メモリー２２と、前記回路１５，１７，１８，１９，２０，２１及び格納メモリー２２の動作・処理を指示すると共に送信命令を発信する遊技機監視ＣＰＵ２４とで構成されている。従って、各遊技機の遊技機監視端末２と遊技機監視装置１４とは、スペクトル拡散通信を介して導通された状態となっている。
【００１１】
図２に示すものは、遊技機監視用の遊技機監視端末２と遊技機監視装置１４における受信復調回路１０，２１及び送信変調回路５，１８の具体的構成を示すブロック図であり、送信信号変調回路５は、照合判定回路３及び遊技機情報入力回路４から送信された送信信号を変換する送信信号変換回路５ａと、該回路５ａの出力信号を一次変調する一次変調回路５ｂと、該一次変調回路５ｂの出力信号をＭ系列乱数発生回路６からの乱数に基づき拡散変調する拡散変調回路５ｃと、該拡散変調回路５ｃの出力信号をアンテナ８を介して送信するための送信回路５ｄとからなる。同様に遊技機監視装置１４の送信変調回路１８は、遊技機監視ＣＰＵ２４からの命令信号を変換する送信信号変換回路１８ａと、該回路１８ａの出力信号を一次変調する一次変調回路１８ｂと、該一次変調回路１８ｂの出力信号をＭ系列乱数発生回路６からの乱数に基づき拡散変調する拡散変調回路１８ｃと、該拡散変調回路１８ｃの出力信号をアンテナ１９を介して送信するための送信回路１８ｄとからなる。
【００１２】
遊技機監視端末２の受信復調回路１０は、アンテナ９を介して受信された信号を信号として取り出す受信回路１０ａと、該受信回路１０ａで受信した信号をＭ系列乱数発生回路６から出力される乱数に基づき逆拡散変調を行う逆拡散変調回路１０ｂと、該変調回路１０ｂで変調された信号を復調する復調回路１０ｃと、該復調回路１０ｃで復調された信号を変換する受信信号変換回路１０ｄとからなる。同様に遊技機監視装置１４の受信復調回路２１は、アンテナ２０を介して受信された信号を信号として取り出す受信回路２１ａと、該受信回路２１ａで受信した信号をＭ系列乱数発生回路１５から出力される乱数に基づき逆拡散変調を行う逆拡散変調回路２１ｂと、該変調回路２１ｂで変調された信号を復調する復調回路２１ｃと、該復調回路２１ｃで復調された信号を変換する受信信号変換回路２１ｄとからなる。
【００１３】
以上述べた構成において本実施例にかかる装置では、遊技機監視装置１４に各遊技機監視端末２に対応した固有キーコードk1〜knが固有キーコード格納メモリー１６に格納されており、他方各遊技機監視端末２に対してはそれぞれ異なる固有キーコードk1〜knが付与されると共に固有キーコード格納メモリー７に記憶されている。 その結果遊技機監視装置１４が特定の遊技機監視端末2iから情報を引き出そうとする時は、ＣＰＵ２４が固有キーコード選択回路１７に格納メモリー１６から固有キーコードkiを取り出す。取り出したキーコードkiはＭ系列乱数発生回路１５に入力され、該Ｍ系列発生回路１５は入力されたキーコードkiに基づきＭ系列乱数の種類を特定し、拡散変調回路１８ｃに送信し、該回路１８ｃで拡散変調され送信回路１８ｄ・アンテナ１９を介して遊技機監視端末２に向けて送信される。送信された信号はそれぞれの遊技機監視端末２のアンテナ９で受信しており、該受信した信号を受信回路１０ａで検知し、遊技機監視端末固有のキーコードk1〜knのいずれかに基づきＭ系列乱数発生回路６から送信される乱数に基づき逆拡散変調回路１０ｂで逆拡散が行われる。しかし、一つの遊技機監視端末２を除いて固有キーコードが異なるために同期することができず、単なるノイズ信号と認識してしまう。他方固有キーコードkiが共通する遊技機監視端末では同期ができ、同期確認コードが送信変調回路５を介して遊技機監視装置１４に送信される。
【００１４】
その後遊技機監視ＣＰＵ２４から、遊技機監視端末２に対してデータの取り出し等に関する命令が出力され、該信号は送信信号変換回路１８ａで送信信号に変換され、変換された信号は一次変調回路１８ｂにおいて一次変調が行われ、一次変調が行われた後Ｍ系列乱数発生回路１５の出力乱数に基づき一次変調信号が、拡散変調回路１８ｃで拡散され、送信回路１８ｄを介して遊技機監視端末２に送信される。送信を受けて遊技機監視端末２のＣＰＵ１２は照合判定回路３及び遊技機情報入力回路４に対して格納された情報の出力命令が出され、該回路３，４から送信信号変換回路５ａに出力される。送信信号変換回路５ａで変換された送信信号は、Ｍ系列乱数発生回路６から出力される乱数に基づき拡散変調回路５ｃが拡散を行い、送信回路５ｄ及びアンテナ８を介して遊技機監視装置１４に向けて送信される。該送信を遊技機監視装置１４のアンテナ２０及び受信回路２１ａで受信し、受信された信号は固有キーコードkiに基づきＭ系列乱数発生回路１５から選択された乱数に基づき逆拡散変調回路２１ｂで逆拡散を行い、さらに復調回路２１ｃで復調した後に、受信信号変換回路２１ｄで通常の信号に変換されて、判定結果・遊技機情報格納メモリー２２に格納されることになる。
【００１５】
尚、本実施例で使用するメモリーはＥＥＰＲＯＭ、フラッシュメモリー等の不揮発性メモリーを使用することが好ましい。さらに本実施例では、遊技機監視端末を遊技機制御用のマイクロコンピュータチップとは別個に装着した場合について説明したが、この遊技機監視端末の回路の部分を直接マイクロコンピュータチップに組み込んで使用しても良い。
【００１６】
また本実施例において受信アンテナと送信アンテナを便宜的に別個のもので構成したが、これに限定されるものではなく半導体スイッチを利用することにより一つのアンテナを共用する場合も含む。
【００１７】
【発明の効果】
以上述べたように本発明にかかる通信システムでは、パチンコホール等における多数の遊技機のそれぞれに固有のキーコードを付与することにより、遊技機監視装置と遊技機に組み込まれた遊技機監視端末との１対１の通信が可能となると共に遊技機監視装置は固有キーコードの選択（切り替え）を行うだけで、遊技機監視端末から情報を引き出すことができる。さらにこれら１対１の通信の状況はスペクトル拡散により、暗号化されているために第三者がこれら通信の状況を把握することが難しくなる。さらにまた、従来の通信システムは有線であるためにホストと各遊技機監視端末間を通信線（有線）で接続する必要があったが、本発明においては無線で行うために通信線を床等に敷設する等作業が不要となり作業性に富むと共に遊技機の撤去・増設・配置変更に際して各遊技機に付与された固有キーコード（背番号）を遊技機監視装置の固有キーコード格納メモリーに新たに格納するか又は削除するだけで済むことから、システムに変更を加える必要がないという利点を有する。
【符号の説明】
１   遊技機制御用チップ
２   遊技機監視端末
３   照合判定回路
４   遊技機情報入力回路
６，１５   Ｍ系列乱数発生回路
５，１８   送信変調回路
７，１６   固有キーコード格納メモリー
１０，２０   受信復調回路
８，１９   送信アンテナ
９，２０   受信アンテナ
５ａ，１８ａ   送信信号変換回路
５ｂ，１８ｂ   一次変調回路
５ｃ，１８ｃ   拡散変調回路
５ｄ，１８ｄ   送信回路
１０ａ，２１ａ   受信回路
１０ｂ，２１ｂ   逆拡散変調回路
１０ｃ，２１ｃ   復調回路
１０ｄ，２１ｄ   受信信号変換回路
２１   受信復調回路
２２   判定結果・遊技機情報格納メモリー
２４   遊技機監視ＣＰＵ